(57)【特許請求の範囲】
【請求項１】
下記の手順からなる農村における畦畔法面での二重ネット工法によるシバ植栽方法。
１．畦畔の頂上平面及び低い田側の法面に対して、薬剤による除草処理を行う。
２．高い田側の畔塗り範囲を除く頂上平面および、低い田側の法面に対して、真砂土を５ｃｍの厚さに敷き均して床土を盛り上げる。
３．ほぐし芝を帯状二重のネットの間に挟んだロールの端部を、頂上平面の高い水田側にアンカーを用いて仮止めし、ロールを法面に沿って下方へ転がしながら、ネットを広げて展開する。下端まで達したら、ネットの端部を切り離なす。この作業を繰り返して、法面全体にネットを展開する。
４．ネットを展開した後は時間を空けずにネット上に床土と同じ真砂土を目土としてかける。頂上平面、低い田側の法面に展開されたネットの上に２ｃｍの厚さで真砂土をひろげ、圧接して上下の真砂土が一体となるようにする。
５．散水する。
【請求項２】
請求項１において、前記ネット上に目土をかけて広げ、圧接した後に前記仮止めに用いたアンカーを抜き取ることを特徴とする農村における畦畔法面での二重ネット工法によるシバ植栽方法。
【発明の詳細な説明】
【技術分野】
【０００１】
本発明は、ほぐし芝を柔軟な二重ネットに挟んで植栽するシバ植栽方法に関し、特に、傾斜地において水田を耕作する農家らの負担を軽減した農村における畦畔法面での二重ネット工法によるシバ植栽方法に関する。
【背景技術】
【０００２】
平坦地における畦畔は、水田の中の水漏れを防ぐために水田と水田の境に泥土を盛って形成されている。一方、日本の国土の７３％を占める中山間地域においても水田は数多く有り、畦畔は高低差のある水田を仕切る堤防の役割を果たして、頂上から下側に位置する水田にかけて広い法面を有している。
【０００３】
畦畔の雑草が繁茂すると、病害虫の発生、日照や通風の確保が困難になる。特に、雑草に繁殖するカメムシは、稲の吸汁害の被害を引き起こすため、畦畔の草刈りは欠かせない。刈払機等による畦畔法面の草刈り作業は多労である。なかでも、中山間地域の水田は、小区画のものが多く、畦畔が占める面積割合が大きく、また、小規模な個人農家により営農されている場合がほとんどである。このような、高低差の大きい法面での作業は足場が斜面となることから滑落等の危険性が高く、足腰への労働負担も大きい。草刈り作業は、機械化が遅れ、労働強度が大きいことから、農家にとって大きな負担となっている。
【０００４】
シバを主体とする畦畔は低草高であり、刈り払い時に足もとの確認が容易なため作業し易い、除草回数が減るなどの利点が大きいことが報告されている。植生をシバに転換する方法は、既存植生の中にシバが存在する場合は、シバに選択性のある除草剤を用いて雑草の競合を抑制する方法、およびシバの存在の有無にかかわらず、一旦、既存植生を裸地化して、シバを新たに植栽する方法に分けられる。
【０００５】
河川堤防などの法面にシバを植生する技術として、特許文献１及びこれに関連した日本植生株式会社の張芝体が従来技術として存在するが、これは植生マットをジオテキスタイルネットに絡みつけたものであり、重量が重く農家には扱いにくいものである。また、幅の狭い畦畔に植生しようとすると、畦畔の形にあわせてぴったり曲げたりするのは困難で、特に法肩では角の付近に空間ができてしまう。また、植生マットの下層に位置する不織布は、一部において粗密を設けて上下の流通を可能にしているが、基本的には植生マットの下に残存する既存植生を覆うことを前提としており、法面に対してアンカーによって固定することが前提である。
【０００６】
一方、ゴルフ場や庭園などに芝を植生するものとして、特許文献２及びゾイシアンジャパン株式会社の商品名「ＧＯ−ＬＡＷＮ」（登録商標第２５１７１８８号）がある。これは、芝を植生する二重ネット工法と呼ばれるものである。本願発明者らによる非特許文献１では、「ＧＯ−ＬＡＷＮ」由来の製品について専ら法面に対してシバが生育出来るかの観点において研究がなされ、畦畔を管理する上で農家の負担を軽減したうえで、法面における良好な生育を実現し、かつ維持することができる可能性を示している。
【先行技術文献】
【非特許文献】
【０００７】
【非特許文献１】農村畦畔における二重ネット工法によるシバ在来品種「朝駆」植栽の検討」２０１４年３月芝草研究第４２巻第２号別刷  ＰＰ．１３０−１３６    伏見  昭秀、橘  雅明、長沼  和夫
【特許文献】
【０００８】
【特許文献１】特開２００２−３６３９９０号公報
【特許文献２】実登第３０３０２１６号公報
【発明の概要】
【発明が解決しようとする課題】
【０００９】
高齢化が深刻でありかつ畦畔率の高い中山間地域においては、畦畔管理における草刈り作業の安全性の確保と省力化が不可欠である。解決策のひとつとして、低草高で管理し易いシバを主体とする芝生畦畔への植生転換が望ましい。通常の雑草畦畔では年４回の草刈りを、芝生畦畔では年３回へ、夏期の草刈りを1回削減できるからである。さらに、芝生畦畔では見通しが良く、滑りにくいことから、草刈作業の安全性の向上に繋がる。
【００１０】
特許文献１、２に示される張芝工法は規模の大きい緑化工事を対象としたものであり、農村畦畔における利用が想定されていない。特に特許文献１の張芝工法では、張芝体が重たいものであり、斜度３０°から４０°の畦畔法面に持ち上げて展開し、かつ法面に固定することは農家にとっては草刈り作業以上の重労働である。また、実際の畦畔は単に法面のみで構成されるのではなく、幅が狭く、頂上から法面にかけて形状変化の急峻であり、特許文献１の張芝体では、畦畔の形状に倣うことができず、地面との間に隙間が生じてしまう。
【００１１】
一方、非特許文献１では、畦畔への使用を想定し、特許文献２の二重ネット工法による法面における良好な生育が確認されたが、安定的に畦畔に貼り付ける技術については未検討であった。
本発明の目的は、急傾斜の畦畔法面においても農家らで植栽が容易な二重ネット工法を活用して、速やかに芝生畦畔への植生転換を図ることである。
【課題を解決するための手段】
【００１２】
本発明においては、中山間地域の水田における畦畔に対して以下の手順にて植生を行うものとする。
１．畦畔の頂上平面及び低い田側の法面に対して、薬剤による除草処理を行う。
２．高い田側の畔塗り範囲を除く頂上平面および、低い田側の法面に対して、真砂土を５ｃｍの厚さに敷き均して床土を盛り上げる。
３．ほぐし芝を帯状二重のネットの間に挟んだロールの端部を、頂上平面の高い水田側にアンカーを用いて仮止めし、ロールを法面に沿って下方へ転がしながら、ネットを広げて展開する。下端まで達したら、ネットの端部を鋏などで切り離なす。この作業を繰り返して、法面全体にネットを展開する。
４．芝苗が乾くと芝の発芽が悪くなるので、ネットを展開した後は時間を空けずにネット上に床土と同じ真砂土をかける。頂上平面、低い田側の法面に展開されたネットの上に２ｃｍの厚さで目土をひろげ、軽く圧接して上下の真砂土が一体となるようにする。
５．仮止めしたアンカーは抜き取る。
６．散水する。
【発明の効果】
【００１３】
本発明によれば、
１．ほぐし芝を帯状二重ネットの間に挟んだロールは柔軟で有り、高い田側の畔塗り範囲を除く頂上平面から法面に掛けて載せられているので、畦畔の様々な形状に倣いやすい。
２．床土は法面の凸凹をならすとともに、目土はネットを介して床土に到るが、挟まれているシバのほぐし苗と馴染むとともに、床土と目土は同じ真砂土のため、填圧、散水によりより一体化して、床土、目土、ほぐし苗は密着状態になる。
３．ロールは、高い田側の畔塗り範囲を除く頂上平面から法面にかけて載せられていることにより、ネットの重量は頂上平面および法面に分散され、植生の初期にズレ落ちてしまうことはない。
４．シバのほふく茎を用いるため、シバの品種を考慮した植栽が可能になり、特に畦畔法面という雑草の多いところでのシバの雑草耐性並び農村景観を鑑みた植栽が可能である。
という効果がある。
【図面の簡単な説明】
【００１４】
【図１】ロールを示す図である。
【図２】植生の手順を示す図である。
【図３】植生途中の畦畔の状態を示す図である。
【発明を実施するための最良の形態】
【００１５】
本実施例に用いるほぐし芝を帯状二重ネットの間に挟んだロール１０について図１を用いて説明する。
ロール１０は、１０−２０ｍｍの格子状メッシュからなる幅１．１５ｍ、長さ５０．０ｍの帯状の木綿のネット１，２に、ほぐし芝ａを挟み、巻芯３に巻き取ったものである。ほぐし芝ａは、ほふく茎の伸長性に優れる飼料用および土壌保全用シバ在来品種「朝駆」（Zoysia japonica 'Asagake'（品種登録番号１０４８７））の切芝を引き延ばしてほぐし、ほふく茎の長さで１８ｃｍから９ｃｍのほぐし芝ａに分解して土壌を洗い落としたものである。ネット１、２のメッシュ間隔として、土砂は通過するがほぐし芝は通過させない間隔であれば良い。ロール１０は、ほぐし芝ａを木綿のネット１、２で挟んだものであって、土壌の付着もないため、軽量であり、塩化ビニルパイプの巻芯を含めても１７−１９ｋｇである。図１Ｂは、ネット１、２の格子状のメッシュに対してほぐし芝ａが挟まれている様子を示している。ネット１、２は、格子のピッチが同じであり、かつ格子状のメッシュ開口は、ほぼ同一の位置に存在している。図１Ｃは、巻芯３の中空にロールの延転に用いる引き手を装着した様子を示している。
【００１６】
「朝駆」を用いる理由としては、例えば「高麗芝」「野芝」「ベントグラス」等の出穂するシバを畦畔に植生すると、稲の吸汁害の被害を引き起こすカメムシが、稲の出穂前に芝の穂に集合して繁殖し、稲の出穂後に稲に移ることになり被害が拡大する。これに対して、「朝駆」は春も秋も出穂しない品種として知られており、カメムシを集めることはない。
【００１７】
図２は、農村における畦畔Ｄの断面を示している。畦畔の頂上平面ＡＤ及び低い水田Ｆ２側の法面に対して、事前処理として、２月中旬の野焼きおよび５月上旬における非選択性除草剤のグリホサートカリウム塩（４８.０%）液剤（１０ｍＬ/Ｌ ）による前処理によって、既存植生を除去している。
【００１８】
高い田側の畔塗り範囲ＢＣを除く頂上平面ＡＤおよび、低い水田Ｆ２側の法面Ｓに対して、真砂土を５ｃｍの厚さに敷き均して床土５を盛り上げる。床土５には，雑草種子をほとんど含まない真砂土（ｐＨ（Ｈ２０）６．１、硝酸態窒素０．７０ｍｇ／１００ ｇ、有効態リン酸１．４ｍｇ/１００ｇ、 交換性カリ５．０ ｍｇ/１００ｇ、燐酸吸収係数１１９）を客土として用いる（図２Ａ）。
【００１９】
ほぐし芝ａを帯状二重のネット１、２の間に挟んだロール１０の端部を、頂上平面ＡＤの高い水田Ｆ１側にアンカー７を用いて仮止めし、ロール１０を法面に沿って下方へ転がしながら、ネット１、２を展開する。下端まで達したら、ネット１、２の端部を鋏などで切り離なす。法面Ｓにネット１、２を展開している最中には、アンカーを用いて仮止めをする必要は無い。高い水田Ｆ１側の畔塗り範囲ＢＣを除く頂上平面ＡＤから法面Ｓにかけて載せられていることにより、ネット１、２の重量は頂上平面ＡＤにも分散され、かつ頂上平面ＡＤの高い水田Ｆ１側においてアンカー７により止められているため、植生の初期にズレ落ちてしまうこともない。この作業を繰り返して、法面Ｓ全体にネット展開する。
【００２０】
芝の苗は乾くと芝の出芽が悪くなるので、ネット１、２を展開した後は時間を空けずにネット１、２上に目土６として、床土５と同じ真砂土をかける。頂上平面ＡＤ、法面Ｓに展開されたネット１、２の上に２ｃｍの厚さで真砂土をひろげ、軽く圧接して上下の真さ土が一体となるようにする。ネット１、２のメッシュは、真砂土の粒に対して極めて大きく、また、格子状のメッシュ開口は、ほぼ同一の位置に存在しているため、真砂土はネット１、２の格子状メッシュを容易に通過して床土５に到り、挟まれているほぐし芝ａと馴染む。
【００２１】
床土５と目土６は同じ真砂土であって、圧接により一体化するため、もはやアンカー７の仮止めは必要がないので、抜き取る。アンカーは、頂上平面ＡＤにのみ存在するため、後のアンカー７の回収は頂上平面ＡＤを徒歩で移動するだけで行うことが出来る。尚、アンカー７として竹串を用いると、植生の初期に草刈り機にて草刈り作業するときに、切断或いは跳ね飛ばすことができる。そして竹串は時間を経て自然分解するため、抜き取らずに放置しても良い。
【００２２】
散水する。散水により、床土５と目土６との一体化はさらに強化され、床土５、目土６、ほぐし苗ａは密着状態になる。人工的な散水は、このときの植栽の直後に１回のみが必要であり、それ以降は自然降雨のみで良い。ネット１、２は木綿であり、時間を経て自然分解する。
【００２３】
図３は、畦畔Ｄに植栽している状況を示している。領域Ｐは既存植生を除去した範囲であり、領域Ｑは高い水田Ｆ１側の畔塗り範囲ＢＣを除く頂上平面ＡＤおよび、法面Ｓに対して真砂土を５ｃｍの厚さに敷き均して床土５を盛り上げている。
【００２４】
領域Ｒでは、ロール１０を床土５上に、頂上平面の高い水田Ｆ１側にアンカー７を用いて仮止めし、ロール１０を法面Ｓに沿って下方へ転がしながら、ネット１、２を展開している。ロール１０の幅だけ畦畔を横にずれながら、頂上平面ＡＤから下側の水田Ｆ２に向けて展開してゆく。
【００２５】
領域Ｔは、頂上平面ＡＤ、法面Ｓに展開されたネット１、２の上に２ｃｍの厚さで目土６をひろげた領域である。図３Ｂは、２ｃｍの厚さで広げた目土６が、ネット１、２の格子状のメッシュ開口を通して、床土の上に落下したため、一部のネット１、２が表面に露出している様子を示している。その後、アンカー７を除去し、散水するのである。
【００２６】
本実施例によれば、ほぐし芝ａを帯状二重のネット１、２の間に挟んだロール１０であり、高い水田Ｆ１側の畔塗り範囲ＢＣを除く頂上平面ＡＤから法面Ｓにかけて載せられているので、畦畔の急峻な形状に倣いやすく、また、目土６はネット１、２を介して床土５に到るが、床土５と目土６は同じ真砂土であるので、圧接すると互いに融合しあい、かつ水を散水することにより一体化して密着状態になる。また、ロール１０は、高い水田Ｆ１側の畔塗り範囲ＢＣを除く頂上平面ＡＤから法面Ｓにかけて載せられていることにより、ネット１、２の重量は頂上平面ＡＤにも分散され、植栽の初期にズレ落ちてしまうこともない。また、ネット１、２を設置した後は、仮止めに使ったアンカー７は撤去するため、畦畔管理上の草刈において障害にはならない。
【００２７】
農村の畦畔Ｄの法面Ｓは２５〜４５°の斜度が多く、従来の張芝工法では，切芝（縦３７ｃｍ、横３０ｃｍ、重さ１．５〜２．０ ｋｇ／枚）の運搬や配置が難しく、とくに３０°以上の斜度では、切芝の固定に目串を打ち込むなど、作業に熟練を要する。一方、本実施例では、斜度にかかわらず、ほぐし芝を挟んだロール１０を施工地で延展するだけであって、高齢化が深刻な中山間地域の農村部にとって、草刈り作業の安全性の確保と省力化が可能である。
【符号の説明】
【００２８】
１  上ネット
２  下ネット
３  巻芯
４  引き手
５  床土
６  目土
７  アンカー
【図１】
0006357445.tif 000002
【図２】
0006357445.tif 000003
【図３】
0006357445.tif 000004